(57)【要約】【課題】テニスの打ち返し多球練習において、コーチが複数のボールを確実に且つ容易に握持して打撃できるテニスボール供給器具を提供する。【解決手段】多数のテニスボールを収納できる収納部１と、収納部の下方に連結してテニスボールが一列に流れ出る供給管部２と、供給管部から流出した少なくとも２個以上のテニスボールが片手で握持可能に露出すると共に、前記露出箇所でボールが保持される取出部３とを備えてなる。【選択図】  図２
2004283393.tif 000002
【特許請求の範囲】
【請求項１】
多数のテニスボールを収納できる収納部と、収納部の下方に連結してテニスボールが一列に流れ出る供給管部と、供給管部から流出した少なくとも２個以上のテニスボールが片手で握持可能に露出すると共に、露出箇所でボールが保持される取出部とを備えてなるテニスボール供給器具。
【請求項２】
ボール取出部が、ボール外径と対応した樹脂管で、先部の管上面部をボール径より僅かに小さい幅の開口部に形成すると共に、先端にボールストッパー部と、開口部と連続するボール握持用の抉り部を設けた請求項１記載のテニスボール供給器具。
【請求項３】
収納部を、リュックサック形態とした請求項１又は２記載のテニスボール供給器具。
【発明の詳細な説明】
【０００１】
【産業上の利用分野】
本発明はテニスの練習においてコーチがボールを打ち出す際に使用するテニスボール供給器具に関するものである。
【０００２】
【従来の技術】
テニスの練習において、コーチが次々にボールを打ち出し、選手がこれを打ち返す所謂多球練習が行われている。この練習では多数のボールを使用するもので、ボールは籠容器に貯められ、補助者がコーチに次々とボールを手渡して行っている。
【０００３】
しかし補助者がいない場合には、コーチ自らボール収納籠からボールを取り出さなければならない。そこでボールを取り出し易くした収納籠が提案されている（特許文献１，２）。
【０００４】
特許文献１に開示されている収納籠は、籠を上下二段として、下方籠を手前側に突出させて、上方収納部から下方収納部に流れ落ちたボールを取り出すようにしている。また特許文献２記載の収納籠は、内底板を上方に付勢してボールが減少しても取り出し易いようにしたものである。
【０００５】
また前記の籠タイプの他に、ボール収納部を備えたベルトも提案されている（特許文献３）。
【０００６】
【特許文献１】
実開平６−９６６３号公報。
【特許文献２】
実公平５−２０３４４号公報。
【特許文献３】
第３０５３２９６号登録実用新案公報。
【０００７】
【発明が解決しようとする課題】
前記した籠タイプのボール供給器具は、多数のボールが露出しているところからコーチがボールを握持して取り出すものである。そしてコーチは１個毎ボールを取り出し打撃するのは能率が悪いので、手の大きさにもよるが、通常は２個以上のボールを一回で握持して２回以上の打撃を行っている。
【０００８】
しかし前記の籠タイプの器具では、必ずしも複数のボールを一緒に握持し易い状態になるとは言い難い。即ち複数ボールを確実に且つ容易に握持して取り出すことができるとは言い難い。
【０００９】
また前記の籠型タイプの器具は、キャスターがついており移動可能であるが、コーチが位置を変えながら打撃する場合には、収納籠を移動させる補助員が必要となる。
【００１０】
また移動しての打撃に関しては特許文献３に記載したようにある程度のボールを携帯して打撃を行うことができるが、本来選手用のボール保持具であるため、ボールの取り出し易さや、携帯ボール数に限度がある。
【００１１】
そこで本発明は、複数のボールを一緒に握持することが容易である新規なテニスボール供給器具を提案したものである。
【００１２】
【課題を解決する手段】
本発明に係るテニスボール供給具は、多数のテニスボールを収納できる収納部と、収納部の下方に連結してテニスボールが一列に流れ出る供給管部と、供給管部から流出した少なくとも２個以上のテニスボールが片手で握持可能に露出すると共に、前記露出箇所でボールが保持される取出部とを備えてなることを特徴とするものである。
【００１３】
しかして収納部に多数のテニスボールを収納しておくと、テニスボールは供給管部から流れ出て、取出部で露出状態で保持される。そこでコーチは露出したボールを２個以上握持し、打ち返し練習に使用するものである。
【００１４】
【実施の形態】
次に本発明の実施の形態について説明する。実施形態に示したテニスボール供給器具は、コーチが自己の身体に身につけて使用するタイプのもので、収納部１と、供給管部２と取出部３とで構成される。
【００１５】
収納部１は本体１１がリュックサック形態で、上部に開口部及び蓋部（図示せず）等適宜なボール入れ箇所を設け、背負えるような肩ひもや腰ひも等の背負い用バンド部１２を付設してなる。
【００１６】
供給管部２は、前記収納部１の本体１１の下方に連結してテニスボールが一列に流れ出るようにすると共に、後述する取出部３を所定位置とすることができるように屈曲可能に設けたものである。
【００１７】
取出部３は、前記供給管部２に連続して接続されるもので、本体部（基部）３１がボール外径と対応した樹脂管で形成され、先部の管上面部をボール径より僅かに小さい幅の開口部３２に形成すると共に、先端を管路流出面路に立ち上げてボールストッパー部３３を形成し、開口部３２と連続するボール握持用の前後抉り部３４，３５を設け、前後抉り部３４，３５の間に先端対向間隔をボールＡの外径より狭くした保持突部３６が残るように形成してなる。
【００１８】
而して収納部１に多数のボールを収納し、コーチＢが収納部１を背中に担ぎ、取出部３がボールＡを取り出し易い位置に調整して使用するものである（図３）。
【００１９】
即ち収納部内のボールＡは、供給管部２を通って取出部３に至り、取出部３において、ボールがボールストッパー部３３で止まり、開口部３２はボールＡの外径より幅狭であるので、ボールＡは取出部３に保持されることになる。
【００２０】
そしてコーチＢは先端側ボールを人差し指と中指で前方抉り部３４の左右において握り、次のボールを親指と小指及び薬指で後方抉り部３５の左右において握り（図４）、取出部３から引き出すと、コーチＢは容易に２個のボールを握り（図５）、練習ボールとして打ち出すことができる。
【００２１】
ボールＡを取出部３から取り出すと、直ぐに次のボールが取出部３に流れ込むので、コーチＢは連続してボールの取り出しが可能で、連続的に打撃を繰り返すことができる。更に収納部１を背負っているものであるから、コート内を移動しながらの打撃も容易にでき、而も補助者を必要としない。
【００２２】
尚本発明は前記実施形態に限定されるものではなく、ボールＡの取出部３を左右いずれにしても良いし、また従前の籠容器タイプと同様に、収納部をキャスター台に設置する構成であっても、ボールは容易に且つ確実な複数の取り出し握持が可能であるので、効率的な多球練習ができるものである。
【００２３】
【発明の効果】
以上のように本発明は、多数のテニスボールを収納できる収納部と、収納部の下方に連結してテニスボールが一列に流れ出る供給管部と、供給管部から流出した少なくとも２個以上のテニスボールが片手で握持可能に露出すると共に、前記露出箇所でボールが保持される取出部とを備えてなるテニスボール供給具で、コーチが１回に２個以上のボールを確実且つ連続的に握持して、打ち返し練習のためのボール打撃を行うことができ、効率的な多球練習を実現できたものである。
【図面の簡単な説明】
【図１】本発明の実施形態の要部（取出部）斜視図。
【図２】同全体斜視図。
【図３】同使用状態の説明図。
【図４】同取出部におけるボールの握持状態の説明図。
【図５】同コーチのボール保持状態の説明図。
【符号の説明】
１      収納部
１１    本体
１２    バンド部
２      供給管部
３      取出部
３１    本体部
３２    開口部
３３    ボールストッパー部
３４    前方抉り部
３５    後方抉り部
３６    保持突部
【図１】
2004283393.tif 000003
【図２】
2004283393.tif 000004
【図３】
2004283393.tif 000005
【図４】
2004283393.tif 000006
【図５】
2004283393.tif 000007